(57)【要約】      （修正有）【課題】水槽内を水草や流木などを用いたアクアリウムの美しさを綺麗に表現できるようにした水槽を提供する。【解決手段】水を収容し得る収容空間１０ｈを有し、透光性の素材で形成された上部に開口を有する本体部１０と、本体部１０を載置するための台座部３０と、本体部１０の上部に乗せられ得る上部部材２０と、を備え、本体部１０が、断面三角形状に形成されており、上部部材２０および台座部３０には、本体部１０の収容空間１０ｈを照明するための照明部が設けられている。水槽の本体部１０の収容空間１０ｈ内に水を入れた状態で照明部を点灯すれば、収容空間１０ｈ内を上方と下方の両方から照らし出すことができるので、収容空間１０ｈ内の影を従来の照明方法と比べて少なくできるから、水槽を見た人に対して明るくかつ幻想的な印象を与えることができる。【選択図】図１
2019135912.tif 000002
【特許請求の範囲】
【請求項１】
水を収容し得る収容空間を有し、透光性の素材で形成された上部に開口を有する本体部と、
該本体部を載置するための台座部と、
前記本体部の上部に乗せられ得る上部部材と、を備え、
前記本体部が、
断面三角形状に形成されており、
前記上部部材および前記台座部には、
前記本体部の収容空間を照明するための照明部が設けられている
ことを特徴とする水槽。
【請求項２】
前記本体部は、
隣接する壁の端縁同士が、銅テープを介してはんだで接合されたものである
ことを特徴とする請求項１記載の水槽。
【請求項３】
前記本体部の隣接する壁の端縁間には、ボールチェーンがはんだで固定さている
ことを特徴とする請求項２記載の水槽。
【発明の詳細な説明】
【技術分野】
【０００１】
本発明は、水槽に関する。さらに詳しくは、観賞する人に対して独特の印象を与えることができる水槽に関する。
【背景技術】
【０００２】
近年、水槽内を水草や流木などを綺麗にレイアウトして水槽を鑑賞するアクアリウムが流行している。通常、このようなアクアリウムは、一般的な水槽（つまり照明部が水槽本体部の上部に設けられた水槽）が使用されている。
しかし、上方から水槽内部を照らしだす照明方法の場合、水草等によって上方から照射された光が遮られてしまい水底まで光が到達しにくくなる。このため、中層から下層にかけて暗くなりやすく、せっかく綺麗にレイアウトしたアクアリウムが見た目に暗い印象になりやすいという問題がある。
【０００３】
一方、水槽本体部の底面から上方に向かって光を照射する水槽が提案されている（例えば、特許文献１、２）。
特許文献１、２には、水槽本体部の底板ガラスの下方に照明部を設けた水槽が開示されている。そして、照明部の光源を点灯すれば、観賞魚などを光の中に浮かび上がらせて幻想的な効果を発揮できるようになる旨が記載されている。
【先行技術文献】
【特許文献】
【０００４】
【特許文献１】特開平１０−３２７７０４号公報
【特許文献２】登録実用新案第３００７１４４号公報
【発明の概要】
【発明が解決しようとする課題】
【０００５】
しかるに、特許文献１、２の水槽では、水槽本体部の下層部分は明るくなるものの、上述したような多数の水草などをレイアウトしたアクアリウムでは、これらの水草などによって下方から上方への光が遮られてしまい、中層から上層にかけて暗くなりやすくなり、水槽上部に照明部を設けた水槽の場合と同様に、せっかく綺麗にレイアウトしたアクアリウムが見た目に暗い印象になる可能性がある。しかも、水草は表面が、観賞魚では背中側が色鮮やかなものが多いので、上方から光を照射する場合よりも暗い印象となりやすい傾向にある。  現状では、水槽内を水草や流木などを綺麗にレイアウトした水槽を鑑賞するアクアリウム本来の美しさを綺麗に表現できる照明設備を備えた水槽が存在しないのが実情である。
【０００６】
本発明は上記事情に鑑み、水槽内を水草や流木などを用いたアクアリウムの美しさを綺麗に表現できるようにした水槽を提供することを目的とする。
【課題を解決するための手段】
【０００７】
第１発明の水槽は、水を収容し得る収容空間を有し、透光性の素材で形成された上部に開口を有する本体部と、該本体部を載置するための台座部と、前記本体部の上部に乗せられ得る上部部材と、を備え、前記本体部が、断面三角形状に形成されており、前記上部部材および前記台座部には、前記本体部の収容空間を照明するための照明部が設けられていることを特徴とする。
第２発明の水槽は、第１発明において、前記本体部は、隣接する壁の端縁同士が、銅テープを介してはんだで接合されたものであることを特徴とする。
第３発明の水槽は、第１発明または第２発明において、前記本体部の隣接する壁の端縁間には、ボールチェーンがはんだで固定さていることを特徴とする。
【発明の効果】
【０００８】
第１発明によれば、水槽の本体部の収容空間内に水を入れた状態で照明部を点灯すれば、水槽の本体部の収容空間内を上方と下方の両方から照らし出すことができる。このため、水槽の本体部の収容空間内の影を従来の照明方法と比べて少なくできるので、水槽を見た人に対して明るくかつ幻想的な印象を与えることができる。しかも、水槽の本体部の断面形状が三角形であるので、プリズム効果で光を複雑に反射等させることができる。このため、水槽を見た人に対して平面的でなく立体的で奥行を有する特徴的な印象を与えることができる。さらに、照明部を点灯することにより、水槽の本体部に対して下方から熱を供給できるので、本体部の収容空間内に収容した水を適切に保温できるようになる。
第２発明において、水槽の本体部の隣接する各壁同士がはんだで接合されているので、水槽の本体部の強度を向上させることができる。しかも、本体部の隣接する壁同士がはんだで接合されているので、水槽の本体部の耐久性および耐用年数を向上させることができる。
第３発明において、水槽の本体部の壁の端縁にボールチェーンがはんだで接合されているので、水槽の本体部の強度をより向上させることができる。しかも、水槽の本体部の各壁の周囲にボールチェーンが配設されているので、見栄えを向上さることができる。そして、本体部の側壁の上部にボールチェーンを配置すれば、人が本体部の一の壁面を正面から見た際に本体部の収容空間内を額縁に入れられたアクアリウムの絵画が飾られているような印象を与えることができる。
【図面の簡単な説明】
【０００９】
【図１】本実施形態の水槽１の概略斜視図である。
【図２】本実施形態の水槽１の概略分解図である。
【図３】本実施形態の水槽１の本体部１０の収容空間１０ｈ内に水Ｗを収容した状態で照明部４０を点灯した際の概略説明図である。
【図４】図２の本実施形態の水槽１の各部の概略平面図であり、（Ａ）はカバー部材２５の概略平面図であり、（Ｂ）は上部部材２０の概略平面図であり、（Ｃ）は本体部１０の概略平面図であり、（Ｄ）は台座部３０の概略平面図である。
【図５】上部部材２０の概略説明図であり、（Ａ）は概略平面図であり、（Ｂ）は概略正面図であり、（Ｃ）は概略底面図である。
【図６】本体部１０の概略説明図であり、（Ａ）は概略斜視図であり、（Ｂ）は（Ａ）の本体部１０の一の側壁１１を正面から見たときの概略正面図である。
【図７】台座部３０の概略説明図であり、（Ａ）は概略平面図であり、（Ｂ）は概略正面図であり、（Ｃ）は概略底面図である。
【図８】本実施形態の水槽１の照明部４０を上部部材２０および台座部３０に取り付けるためのブラケット２３、３３の概略説明図であり、（Ａ）と（Ｄ）は概略平面図であり、（Ｂ）と（Ｅ）は概略正面図であり、（Ｃ）と（Ｆ）は概略側面図である。
【図９】（Ａ）は本実施形態の水槽１の正面図であり、（Ｂ）は本実施形態の水槽１の背面図であり、（Ｃ）は本実施形態の水槽１の側面図である。
【図１０】（Ａ）は本実施形態の水槽１の平面図であり、（Ｂ）は本実施形態の水槽１の底面図である。
【図１１】本実施形態の水槽１の使用状態を示した図である。
【図１２】本実施形態の水槽１の使用状態を示した図である。
【発明を実施するための形態】
【００１０】
本実施形態の水槽は、上下方向から水槽内を照明できるようにしたものである。
【００１１】
なお、本実施形態の水槽（以下、単に本水槽という場合がある）は、使用方法はとくに限定されず、例えば、本体部内に水を収容し水草や魚などを入れてアクアリウムとして使用してもよいし、インテリアとして使用してもよい。なお、インテリアとして使用する場合には、本体部の収容空間内に水を入れてもよいし入れない状態で使用してもよい。
以下では、本水槽をアクアリウムとして使用する場合について説明する。
【００１２】
図１および図２に示すように、本水槽１は、水Ｗを収容する本体部１０と、本体部１０の下方に配置された本体部１０を載置するための台座部３０と、本体部１０の上部に乗せられる上部部材２０と、を備えている。
【００１３】
＜本体部１０＞
図１、図２または図６に示すように、本体部１０は、上部に開口が形成された、水Ｗを収容する収容空間１０ｈを有する箱状の部材であり、横断面の形状が三角形となるように形成されている。そして、この本体部１０を構成する各壁１１、１２は、透光性の素材で形成されている。なお、本体部１０を構成する各壁１１、１２の素材は、上記機能を有するものであればとくに限定されない。例えば、各壁１１、１２の素材として、ガラスやアクリル、プラスチックなどを採用することができる。
【００１４】
図１、図２または図６に示すように、本体部１０は、平面視略正三角形の底壁１２の各端縁に立設した３枚の側壁１１の隣接する各端縁が互いに接するように形成することができる。そして、本体部１０の上部には、３枚の側壁１１の上端縁で囲まれるようにして本体部１０の開口が形成されている。
この本体部１０を構成する各壁１１、１２は、隣接する壁１１、１２の接近した端縁同士が互いに接合されている。具体的には、各壁は、本体部１０の収容空間１０ｈ内に水Ｗを収容した際、内部から外部へ接合部分から水Ｗが漏れ出さないように接合されている。この接合方法は、上記機能を有するものであれば、とくに限定されない。例えば、水槽を形成する際に一般的に使用されるコーキング剤１４などを採用することができるほか、後述する接合部材１３で接合してもよい。
例えば、図１または図６に示すように、シリコン製のコーキング剤１４を使用する場合には、各側壁１１を底壁１２の端縁に各壁の端縁同士を接近するように保持した状態で、隣接する各壁の内面同士で形成される各コーナーを収容空間１０内から埋めるようにコーキング剤１４でコーキングすれば、本体部１０の収容空間１０ｈ内に収容した水Ｗが漏れないように本体部１０の各壁を互いに接合することができる。なお、接合部材１３で隣接する壁１１、１２の端縁同士を接合する場合については後述する。
【００１５】
＜台座部３０＞
つぎに、本水槽１の本体部１０を載置する台座部３０について説明する。
図１または図２に示すように、本水槽１の本体部１０の下方には、本体部１０を載置するための台座部３０が設けられている。
図１、図２、図４または図７に示すように、この台座部３０は、複数の側壁３１を備えており、隣接する側壁３１の幅方向の端縁同士が連結するように形成された部材である。そして、台座部３０の複数の側壁３１で囲まれた内部には、後述する照明部４０を配設するための空間３０ｈが形成されている。
なお、この側壁３１の上端部には、内方に向かって突出した板状の保持部材３２が設けられている。この保持部材３２は、側壁３１上端に沿配置されており、本体部１０を台座部３０の上部に載置した状態を適切に保持するための部材である。
【００１６】
台座部３０は、本体部１０を載置することができれば、その大きさや形状はとくに限定されない。例えば、台座部３０は、大きさが本体部１０の底壁１２の大きさと略同じかやや大きくなるように形成されていれば、本体部１０を安定して載置することができる。また、その平面視形状もとくに限定されず、例えば、平面視四角形状や矩形状、三角形状となるように形成することができる。
例えば、図１、図２、図４または図７に示すように、台座部３０の平面視形状が本体部１０の底壁１２の平面視形状と相似形となるように三角形状に形成し、その大きさが本体部１０の底壁１２よりも若干大きくなるように形成することができる。
【００１７】
＜上部部材２０＞
図１、図２、図４または図５に示すように、本水槽１の本体部１０の上方には、上部部材２０が設けられている。この上部部材２０は、本体部１０の上部、具体的には、本体部１０の複数の側壁１１の上端に引っ掛かるように乗せることができるように形成された部材である。
例えば、図５に示すように、上部部材２０は、複数の側壁２１を備えており、隣接する側壁２１の幅方向の端縁同士が連結するように形成された部材である。そして、上部部材２０の複数の側壁２１で囲まれた内部には、後述する照明部４０を配設するための空間２０ｈが形成されている。
【００１８】
そして、図５に示すように、この上部部材２０の側壁２１の内面には、上部部材２０を本体部１０の側壁１１上端に引っ掛けるための係合部材２２が設けられている。
この係合部材２２は、本体部１０の上部に乗せたときに本体部１０の側壁１１上端が係合するように機能を有するものであれば、とくに限定されない。例えば、係合部材２２は、上部部材２０の側壁２１内面から内方に向かって突出するように設けられた板状の部材でもよいし、断面Ｌ字状や断面コ字状の部材を側壁２１内面に連結して設けてもよい。例えば、図５に示すように、係合部材２２は、板状の下側係合部材２２ｂと板状の上側係合部材２２ｃと両者の端部同士を連結する板状の連結部材２２ａとを備えた、断面コ字状に形成することができる。この係合部材２２は、上下方向（図１の拡大図または図５（Ａ）の拡大図では紙面の上下方向）の長さが上部部材２０の側壁２１の上下方向の長さよりも短くなるように形成されている。そして、図１または図５に示すように、この係合部材２２は、上部部材２０の側壁２１内面に取り付けた状態において、上部部材２０の側壁２１の上端と係合部材２２の上側係合部材２２ｃとの間および上部部材２０の側壁２１の上端と係合部材２２の下側係合部材２２ｂとの間には隙間が形成されるように配設されている。
【００１９】
上部部材２０は、本体部１０の上部に本体部１０の側壁１１上端が係合部材２２に係合するようにして乗せることができるように形成されていれば、その大きさや形状はとくに限定されない。
例えば、図１、図２、図４または図５に示すように、上部部材２０は、平面視形状が本体部１０の開口の形状と相似形となるように三角形状に形成し、その大きさが本体部１０の開口よりも若干大きくなるように形成することができる。
【００２０】
＜照明部４０＞
図１〜図５または図７に示すように、上部部材２０の内部空間２０ｈおよび台座部３０の内部空間３０ｈ内には、本体部１０の収容空間１０ｈ内を照明するための照明部４０が設けられている。
【００２１】
図５および図７に示すように、照明部４０は、ソケット４１ａと、このソケット４１ａに着脱可能に取り付けて使用される光源４１ｂと、電源部と、を備えている。照明部４０のソケット４１ａは、上部部材２０の側壁２１の内面および台座部３０の側壁３１の内面にそれぞれ基端が固定されたブラケット２３、３３（図８参照）に対して着脱可能に取り付けられている。そして、照明部４０をブラケット２３、３３に取り付けた状態において、照明部４０の光源４１ｂを点灯すれば、光源４１ｂから放射される光Ｌによって本体部１０の収容空間１０ｈ内を上下方向から照らしだすことができるように（図３または図１１〜図１２参照）、図５および図７に示すように、照明部４０は、上部部材２０内および台座部３０内に配設されている。
【００２２】
図５および図７に示すように、照明部４０は、ブラケット２３、３３の先端にネジＮ等で着脱可能に取り付けられるソケット４１ａと、このソケット４１ａに着脱可能に取り付けて使用される光源４１ｂと、電源部と、を備えている。
【００２３】
まず、照明部４０の光源４１ｂについて説明する。
照明部４０の光源４１ｂは、光Ｌを放射するものであればとくに限定されず、例えば、蛍光灯やＬＥＤ光源などを使用することができる。例えば、光源４１ｂとしてＬＥＤ光源を使用する場合には、指向性の度合い（光の広がり）がある程度弱いもの、つまり、ある程度の広がりを持って光Ｌを照射するＬＥＤ光源を使用するのが望ましい。この場合、消費電力を抑制しつつ、本体部１０の収容空間１０ｈ内を高角度で照らすことができる。一方、発熱量の多い蛍光灯等を台座部３０の内部空間３０に取り付けて使用すれば、本体部１０の底壁１２に対して熱を供給できるようになる。
【００２４】
照明部４０のソケット４１ａは、電池等の電源部に電気的に接続されており、電源部から電力の供給を受けてソケット４１ａに取り付けられた光源４１ｂを点灯するようになっている。そして、この図示しない電源部は、電池などの持ち運び可能な電源としてもよいし、商用電源に接続するコードを電源部としてもよい。
【００２５】
図８に示すように、ブラケット２３、３３は、板状の本体部２３ａ、３３ａと、この本体部２３ａ、３３ａの表面側２３ｓ、３３ｓの一端に立設された板状の固定部２３ｂ、３３ｂと、を備えている。そして、ブラケット２３、３３の固定部２３ｂ、３３ｂには、表裏を貫通する貫通孔２３ｈ、３３ｈが形成されている。図５または図７に示すように、この貫通孔２３ｈ、３３ｈは、ソケット４１ａを取り付けるためのネジＮを挿通するめの孔である。
【００２６】
このブラケット２３、３３の本体部２３ａ、３３ａは、上述したように、基端が上部部材２０の側壁２１および台座部３０の側壁３１の内面に固定するように形成されていれば、とくに限定されない。例えば、ブラケット２３、３３の本体部２３ａ、３３ａの基端の端面が上部部材２０の側壁２１および／または台座部３０の側壁３１の内面に接するように固定してもよいし、図５または図７に示すように、上部部材２０および／または台座部３０の内部コーナーに接するように形成して固定してもよい。
例えば、ブラケット２３、３３の本体部２３ａ、３３ａの基端の先端角度が、上部部材２０の隣接する側壁２１の内面間で形成されるなす角または台座部３０の隣接する側壁３１の内面間で形成されるなす角と略同じ角度を有するように形成すれば、内部コーナーを形成する隣接する側壁２１、２１、３１、３１の内面にブラケット２３、３３の本体部２３ａ、３３ａの基端の側面が略接するように固定することができる。
【００２７】
以上のごとき構成であるので、本水槽１の本体部１０の収容空間１０ｈ内に水Ｗを収容した状態で照明部４０の光源４１ｂを点灯すれば、本水槽１の本体部１０の収容空間１０ｈ内を上方と下方の両方から照らし出すことができる（図３参照）。
このため、従来の水槽のように上方からのみの照明で水槽内を照らしだす場合と比べて、収容空間１０ｈ内に収容した水Ｗ中に形成されるかげを少なくできる（図３、図１１〜図１２参照）。すると、例えば、図１１に示すような本体部１０の収容空間１０ｈ内に複数の水草や流木などを綺麗にレイアウトして鑑賞するアクアリウムを作成した場合には、上部部材２０に設けられた照明部４０の光源４１ｂから照射される光Ｌによって水草等を上方から照明することができる。このとき、上方から照射された光Ｌが水草等で遮られてかげを形成してしまうが、これらのかげは、台座部３０に設けられた照明部４０から照射される下方からの光Ｌによって薄められる。
【００２８】
したがって、本水槽１の照明部４０の光源４１ｂを点灯すれば、本体部１０の収容空間１０ｈ内の水中に複数の水草等を配置したり、魚を泳がせたりしても、見た人に対してはこれらの水草等のかげを実質的に存在しないような印象を与えることができる。しかも、上方からの光Ｌによって水草や魚等が本来有する色合いを適切に発揮させつつ、これらのかげの形成を少なくできるので、本水槽１を見た人に対して明るくかつ幻想的な印象を与えることができる。
【００２９】
しかも、本水槽１の本体部１０の断面形状が三角形であるので、プリズム効果で光Ｌを複雑に反射等させることができる。このため、本水槽１を見た人に対して平面的でなく立体的で奥行を有する特徴的な印象を与えることができる。
【００３０】
さらに、台座部３０に設けられた照明部４０を点灯すれば、本体部１０の収容空間１０ｈ内に光Ｌを照射するだけでなく、本水槽１の本体部１０の底壁１２に対して下方から熱を供給することができる。すると、かかる照明部４０によって温められた底壁１２は、本体部１０の収容空間１０ｈ内に位置する内面側から収容空間１０ｈ内に収容した水Ｗに対して熱を供給することができる。したがって、照明部４０を点灯することによって、本水槽１の本体部１０の収容空間１０ｈ内を照らしだすだけでなく、本体部１０の収容空間１０ｈ内に収容した水Ｗを適切に保温できるようにもなる。
【００３１】
また、本水槽１の本体部１０を構成する各壁１１、１２において、隣接する各壁１１、１２の端縁同士が、接合部材１３で接合された構成としてもよい。
以下では、本体部１０の隣接する側壁１１の端縁同士が、この接合部材１３で接合されている場合を代表として説明する。
【００３２】
＜接合部材１３＞
図１および図６に示すように、この接合部材１３は、表面に接着剤を有する層（接着剤層）が積層された金属製の薄膜層１３ａと、この薄膜層１３ａの背面（つまり薄膜層１３ａの接着剤層と反対側の面）に積層するように形成されたはんだ層１３ｂと、を有している。つまり、本体部１０の隣接する側壁１１、１１の端縁間には、一の側壁１１の端縁から他の側壁の端縁に向かって順に、薄膜層１３ａの表面に積層された接着剤層、薄膜層１３ａ、はんだ層１３ｂ、薄膜層１３ａ、薄膜層１３ａの表面に積層された接着剤層が、それぞれ形成するように接合部材１３が設けられている。
【００３３】
この接合部材１３の薄膜層１３ａの素材は、金属製であればとくに限定されない。例えば、金、銀、銅、真鍮、ステンレスなどやこれらの合金などを使用することができる。また、接合部材１３のはんだ層１３ｂの素材は、金属同士を接合する機能を有するものであればとくに限定されず、例えば、一般的な金属の接合材に使用されるスズと鉛の合金などを使用することができる。
【００３４】
この接合部材１３は、例えば、以下のようにすれば、本体部１０の隣接する側壁１１の端縁同士間に形成することができる。
まず、隣接する側壁１１のそれぞれの端縁の端面を覆うように銅テープを貼りつける。この銅テープには、側壁１１の端縁の端面に対向する面に接着層が形成されている。ついで、この銅テープを貼りつけた側壁１１、１１の端縁の角を接近させて保持する。かかる状態において、側壁１１の端縁の端面間には、空間が形成される（図６参照）。ついで、この空間に溶かしたはんだを注入しながら埋めていきそれぞれの側壁１１、１１の端縁に貼りつけた銅テープ同士を連結していく。
すると、はんだが固化すれば、隣接する側壁１１の端縁同士は、互いに銅テープを介してはんだで接合された状態となる。つまり、かかる状態における側壁１１、１１の端縁間では、一の側壁１１の端縁から他の側壁１１の端縁に向かって順に、銅テープの接着層（接合部材１３の薄膜層１３ａの表面の接着剤層に相当）、銅テープ（接合部材１３の薄膜層１３ａに相当する）、はんだ（接合部材１３のはんだ層１３ｂに相当する）、銅テープ（接合部材１３の薄膜層１３ａに相当する）、銅テープの接着層（接合部材１３の薄膜層１３ａの表面の接着剤層に相当）、が積層するように形成することができる。
【００３５】
なお、上述した接合部材１３の、表面に接着剤層を有する金属製の薄膜層１３ａが、特許請求の範囲にいう「銅テープ」に相当し、接合部材１３のはんだ層１３ｂが、特許請求の範囲にいう「はんだ」に相当する。
【００３６】
以上のごとき構成とすれば、本水槽１の本体部１０を構成する各壁１１、１２において、隣接する各壁１１、１２の端縁同士が金属製の接合部材１３で接合されているので、本水槽１の本体部１０の強度を向上させることができる。しかも、金属製の薄膜層１３ａと金属製のはんだ１３ｂで形成された接合部材１３によって本体部１０の隣接する壁１１、１２の端縁同士が接合されているので、各壁１１、１２を樹脂製のコーキング剤だけで接合する場合と比べて、本水槽１の本体部１１の耐久性および耐用年数を向上させることができる。
【００３７】
＜ボールチェーン１５＞
また、図１〜図３または図６に示すように、本水槽１の本体部１０の隣接する各壁１１、１２の端縁間に金属製のボールチェーン１５を固定してもよい。具体的には、上述したように、本水槽１の本体部１０を構成する各壁１１、１２において、隣接する各壁１１、１２の端縁同士を金属製の接合部材１３で接合する場合、隣接する各壁１１、１２の端縁に沿って接合部材１３のはんだ層１３ｂに金属製のボールチェーン１５の一部（例えば、ボールチェーン１５のボールの約半分とチェーン部分）を埋め込むように固定してもよい。
【００３８】
例えば、図１〜図３または図６に示すように、ボールチェーン１５は、金属製の素材からなる複数の貫通孔を有するボールを備えており、かかる貫通孔に挿通したひも状のチェーンによって複数のボールが略等間隔に配置されたものである。なお、ボールチェーン１５の形状やボールの大きさ（例えば、直径）は、とくに限定されず、公知のボールチェーンを使用することができる。例えば、複数の直径が約４ｍｍ〜６ｍｍのボールを所定の間隔をあけてチェーンで連結するように配置されたものを本実施形態の水槽１用のボールチェーン１５として使用してもよい。なお、ボールチェーン１５のボールの大きさは上記のごとくかかる大きさに限定されないのは言うまでもなく、ボールチェーン１５を配置する隣接する壁１１、１２の端縁間の距離や、ボールチェーン１５を配置した際の本水槽１のバランス等に応じて適宜調整すればよい。つまり、ボールチェーン１５のボールの直径が４ｍｍよりも小さいものを使用してもよいし、直径が６ｍｍよりも大きいもの、例えば１０ｍｍ程度のものを使用してもよい。
【００３９】
以上のごとき構造とすれば、本水槽１の本体部１０の隣接する各壁１１、１２の端縁に沿って金属製のボールチェーン１５が接合部材１３のはんだ層１３ｂにはんだで固定されているので、本水槽１の本体部１０の強度をより向上させることができる。
【００４０】
しかも、図１〜図３、図６、図９〜図１０または図１２に示すように、本水槽１の本体部１０の各壁１１、１２の周囲にボールチェーン１５が配設されているので、見栄えを向上さることができる。
とくに、図１〜図３、図６、図９または図１２に示すように、本水槽１の本体部１０の側壁１１の上端部にボールチェーン１５を配置すれば、人が本水槽１の本体部１０の一の側壁１１を正面から見たときに、見た人に対して、本体部１０の収容空間１０ｈ内のアクアリウム（例えば、図１１〜図１２に示すような本水槽１の本体部１０の収容空間１０ｈ内にアクアリウムを作成したような場合）が額縁に入れられた絵画が飾られているような印象を与えることができる。
【００４１】
なお、本水槽１の大きさはとくに限定されない。例えば、本水槽１は、幅方向の長さが（図９では紙面左右方向の長さ）３０ｃｍ〜６０ｃｍ程度、上下方向の長さ（高さ）（図９では紙面上下方向の長さ）が５０ｃｍ〜９０ｃｍ程度なるように形成することができる。
例えば、本体部１０が断面正三角形となるように形成した場合、本体部１０は、底壁１２の一辺の長さを約５０ｃｍ（図６（Ｂ）では紙面左右方向の長さ）、底壁１２の背面から側壁１１上端までの長さ（高さ）（図６（Ｂ）では紙面上下方向の長さ）が約６０ｃｍの内底を有し上部が開口した正三角柱となるように形成する。
上部部材２０および台座部３０は、平面視正三角形であり、一辺の長さが本体部１０の底壁１２の一辺の長さよりも若干長く（例えば、５０〜５１ｃｍ程度）、側壁２１、３１の下端から上端までの長さ（図５（Ｂ）および図７（Ｂ）では紙面上下方向の長さ）が約１０ｃｍの、上下に開口を有する正三角柱となるように形成する。
そして、各パーツ１０、２０、３０を、図２に示すように、台座部３０、本体部１０、上部部材２０の順に組立てれば、一辺の長さが約５０ｃｍ、高さが約８０ｃｍの正三角柱の本水槽１を形成することができる（図１、図９〜図１０参照）。
【００４２】
なお、図１〜図４に示すように、上部部材２０の上にカバー部材２５を設けてもよい。カバー部材２５を設ければ、上方からの埃等が水槽１内に侵入するのを抑制できるし、本体部１０の収容空間１０ｈ内に収容した水Ｗの水滴等が外部へ飛散するようなことを抑制できるようになる。また、カバー部材２５の素材は、とくに限定されず、例えば、透光性を有するものであっても金属製のものであってもよい。カバー部材２５の素材として、透光性を有するものを採用すれば、本水槽１の上方から外部の光を本水槽１の本体部１０の収容空間１０ｈ内へ導入できるようになる。
【産業上の利用可能性】
【００４３】
本発明の水槽は、アクアリウムやインテリアとして使用することができ、とくにアクアリウムに使用される水槽として適している。
【符号の説明】
【００４４】
１        水槽
１０      本体部
１１      本体部１０の側壁
１２      本体部１０の底壁
１３      接合部材
１５      ボールチェーン
２０      上部部材
２１      上部部材２０の側壁
３０      台座部
３１      台座部３０の側壁
４０      照明部
４１ａ    ソケット
４１ｂ    光源
【図１】
2019135912.tif 000003
【図２】
2019135912.tif 000004
【図３】
2019135912.tif 000005
【図４】
2019135912.tif 000006
【図５】
2019135912.tif 000007
【図６】
2019135912.tif 000008
【図７】
2019135912.tif 000009
【図８】
2019135912.tif 000010
【図９】
2019135912.tif 000011
【図１０】
2019135912.tif 000012
【図１１】
2019135912.tif 000013
【図１２】
2019135912.tif 000014